(57)【特許請求の範囲】
【請求項１】
互いに直交する第１方向軸と第２方向軸とによって定義される表示面を含み、第１方向軸に沿って湾曲した表示パネルと、
前記表示パネルに光を提供するバックライトユニットと、
前記表示パネルと前記バックライトユニットとを収容し、前記第１方向軸に沿って湾曲したボトムカバーと、
前記表示パネルをカバーし、前記第１方向軸に沿って湾曲したトップカバーと、を含み、
前記バックライトユニットは、
上面指向形の発光ダイオードパッケージを含む第１光源と、
各々が側面指向形の発光ダイオードパッケージを含み、前記第１方向軸に沿って前記第１光源を介して配置された第２光源及び第３光源と、
前記表示パネル及び前記第１乃至第３光源の間に配置され、前記第１方向軸に沿って湾曲した光学部材と、を含み、
前記第１光源の前記上面指向形の発光ダイオードパッケージと前記光学部材との間の光学距離は、前記第２光源及び前記第３光源の前記側面指向形の発光ダイオードパッケージと前記光学部材との間の光学距離より大きい表示装置。
【請求項２】
前記第１光源の前記上面指向形の発光ダイオードパッケージと前記光学部材との間の前記光学距離は、１９ｍｍより大きく、前記第２光源及び前記第３光源の前記側面指向形の発光ダイオードパッケージと前記光学部材との間の前記光学距離は、１９ｍｍより小さい請求項１に記載の表示装置。
【請求項３】
前記第１光源は、前記第１方向軸に沿って配置された複数個の第１光源ブロックを含み、前記複数個の第１光源ブロックの各々は、前記第２方向軸に沿って配置された複数個の第１発光ダイオードパッケージ及び前記複数個の第１発光ダイオードパッケージに電気的信号を提供する第１回路基板を含み、前記複数個の第１発光ダイオードパッケージの各々は、前記上面指向形の発光ダイオードパッケージであり、前記第２光源及び前記第３光源の各々は、前記第１方向軸に沿って配置された複数個の第２光源ブロックを含み、前記複数個の第２光源ブロックの各々は、前記第２方向軸に沿って配置された複数個の第２発光ダイオードパッケージ及び前記複数個の第２発光ダイオードパッケージに電気的信号を提供する第２回路基板を含み、前記複数個の第２発光ダイオードパッケージの各々は、前記側面指向形の発光ダイオードパッケージである請求項１に記載の表示装置。
【請求項４】
前記第１発光ダイオードパッケージの各々は、第１発光素子及び前記第１発光素子の上に配置され膨らんでいる半球形のレンズ面を含む第１レンズを含み、
前記第２発光ダイオードパッケージの各々は、第２発光素子及び前記第２発光素子から生成された光を前記第１方向軸の第１サイドにガイドする第１レンズ面及び前記第２発光素子から生成された光を前記第１方向軸の第２サイドにガイドする第２レンズ面を含む第２レンズを含む請求項３に記載の表示装置。
【請求項５】
前記第１乃至第３光源の各々は、前記第２方向軸に沿って複数個配置されている請求項３に記載の表示装置。
【請求項６】
前記複数個の第１光源ブロックのうち、２つの第１光源ブロックの間の前記第１方向軸による距離は、前記複数個の第２光源ブロックのうち、２つの第２光源ブロックの間の前記第１方向軸による距離より小さい請求項３に記載の表示装置。
【請求項７】
前記複数個の第１光源ブロックの各々は、前記複数個の第２光源ブロックの各々より多い個数の発光ダイオードパッケージを含む請求項３に記載の表示装置。
【請求項８】
前記ボトムカバーの底面は、前記第１方向軸に沿って中心領域並びに前記中心領域を介して配置された第１外側領域及び第２外側領域を含み、
前記第１光源は、前記中心領域に配置され、前記第２光源と前記第３光源は、第１外側領域及び第２外側領域の各々に配置されている請求項１に記載の表示装置。
【請求項９】
前記ボトムカバーの底面は、前記トップカバーより小さい曲率に湾曲している請求項８に記載の表示装置。
【請求項１０】
前記トップカバーは、第１曲率に湾曲し、前記中心領域は、前記第１曲率より小さい第２曲率に湾曲し、前記第１外側領域及び前記第２外側領域の各々は、前記第２曲率より小さい第３曲率に湾曲している請求項９に記載の表示装置。
【請求項１１】
前記ボトムカバーの底面は、前記第１方向軸に沿って中心領域並びに前記中心領域を介して配置された第１外側領域及び第２外側領域を含み、前記中心領域と前記第１外側領域及び前記第２外側領域との間には段差を有し、
前記第１光源は、前記中心領域に配置され、前記第２光源と前記第３光源とは、前記第１外側領域及び第２外側領域の各々に配置されている請求項１に記載の表示装置。
【請求項１２】
前記ボトムカバーは、前記第１方向軸に沿う中心領域並びに前記中心領域を介して配置された第１外側領域及び第２外側領域を含み、
前記第１外側領域と前記第２外側領域との各々に配置された第１光学距離の制御部材及び第２光学距離の制御部材をさらに含む請求項１に記載の表示装置。
【請求項１３】
前記ボトムカバーの底面と前記光学部材とは、実質的に同一の曲率で湾曲し、
前記第１光学距離の制御部材は、前記第２光源が配置される第１支持面を提供し、前記第２光学距離の制御部材は、前記第３光源が配置される第２支持面を提供し、
前記第１光学距離の制御部材の厚さは、前記第１方向軸に沿って前記中心領域から遠くなるほど、増加し、
前記第２光学距離の制御部材の厚さは、前記第１方向軸に沿って前記中心領域から遠くなるほど、増加する請求項１２に記載の表示装置。
【請求項１４】
所定の方向軸に沿って湾曲した表示パネルと、
前記表示パネルに光を提供するバックライトユニットと、
前記表示パネルと前記バックライトユニットとを収容し、前記第１方向軸に沿って湾曲したボトムカバーと、
前記表示パネルをカバーし、前記第１方向軸に沿って湾曲したトップカバーと、を含み、
前記バックライトユニットは、
第１発光ダイオードパッケージを含む第１光源と、
各々が前記第１発光ダイオードパッケージより大きい指向角で最大の光強さを有する第２発光ダイオードパッケージを含み、前記所定の方向軸に沿って前記第１光源を介して配置された第２光源及び第３光源と、
前記表示パネル及び前記第１乃至第３光源の間に配置された光学部材と、を含み、
前記第１光源の前記第１発光ダイオードパッケージと前記光学部材との間の光学距離は、前記第２光源及び前記第３光源の前記第２発光ダイオードパッケージと前記光学部材との間の光学距離より大きい表示装置。
【請求項１５】
前記第１発光ダイオードパッケージは、約−３０°乃至約＋３０°の指向角の範囲で最大の光強さを有し、
前記第２発光ダイオードパッケージは、約−９０°乃至約−６０°又は約６０°乃至約９０°の指向角の範囲で最大の光強さを有する請求項１４に記載の表示装置。
【請求項１６】
前記バックライトユニットは、前記所定の方向軸に沿って前記第１光源が配置された中心領域並びに前記中心領域を介して配置された前記第２光源と前記第３光源とが各々配置された第１外側領域及び第２外側領域を含み、
前記第１外側領域及び前記第２外側領域の光学距離において前記第２発光ダイオードパッケージの半値幅は、前記第１発光ダイオードパッケージの半値幅より大きい請求項１４に記載の表示装置。
【発明の詳細な説明】
【技術分野】
【０００１】
本発明は、表示装置に関し、より詳細には曲面表示装置に関する。
【背景技術】
【０００２】
平板表示装置（フラットパネルディスプレイ）は、ＴＶ、モニター、ノートブック型コンピューター、及び携帯電話等、多様な情報処理装置に映像を表示する用途で使用されている。最近は曲面の表示面を有する曲面表示装置が開発されているが、曲面表示装置は、使用者に立体感、没入感、及び臨場感の向上した映像を提供することができる。
【０００３】
曲面表示装置は、曲面型表示パネル、バックライトユニット、光学部材、及びカバー部材等を含む。バックライトユニットは、映像が表示される表示面に対する光源の位置にしたよってエッジ型（ｅｄｇｅ  ｔｙｐｅ）と直下型（ｄｉｒｅｃｔ  ｔｙｐｅ）とに区分される。
【先行技術文献】
【特許文献】
【０００４】
【特許文献１】米国特許出願公開第２０１３／００７０１６８号明細書
【特許文献２】韓国公開特許第１０−２０１４−００３６４６１号公報
【特許文献３】韓国公開特許第１０−２０１４−００５２４４６号公報
【特許文献４】韓国公開特許第１０−２０１４−００７５９８７号公報
【特許文献５】韓国公開特許第１０−２０１１−００２５４９３号公報
【発明の概要】
【発明が解決しようとする課題】
【０００５】
本発明が解決しようとする課題は、表示品質の向上した曲面表示装置を提供することにある。
【課題を解決するための手段】
【０００６】
本発明の一実施形態による表示装置は、互いに直交する第１方向軸と第２方向軸とによって定義される表示面を含み、第１方向軸に沿って湾曲した表示パネル及び前記表示パネルに光を提供するバックライトユニットを含む。
【０００７】
前記バックライトユニットは、上面指向形の発光ダイオードパッケージ（ｔｏｐ  ｅｍｉｔｔｉｎｇ  ｄｉｏｄｅ  ｐａｃｋａｇｅ）を含む第１光源、前記第１方向軸に沿って前記第１光源を介して配置された第２光源及び第３光源を含む。第２光源及び第３光源の各々は、側面指向形の発光ダイオードパッケージ（ｓｉｄｅ  ｅｍｉｔｔｉｎｇ  ｄｉｏｄｅ  ｐａｃｋａｇｅ）を含む。前記バックライトユニットは、前記表示パネル及び前記第１乃至第３光源の間に配置され、前記第１方向軸に沿ってカーブされた光学部材を含む。前記第１光源の前記上面指向形の発光ダイオードパッケージと前記光学部材との間の光学距離は、前記第２光源及び前記第３光源の前記側面指向形の発光ダイオードパッケージと前記光学部材との間の光学距離より大きい。
【０００８】
前記第１光源の前記上面指向形の発光ダイオードパッケージと前記光学部材との間の前記光学距離は、基準距離より大きく、前記第２光源及び前記第３光源の前記側面指向形の発光ダイオードパッケージと前記光学部材との間の前記光学距離は、前記基準距離より小さい。
【０００９】
前記基準距離において、前記上面指向形の発光ダイオードパッケージの半値幅と前記側面指向形の発光ダイオードパッケージの半値幅とは、実質的に同一である。
【００１０】
前記基準距離は、約１５ｍｍ乃至約２０ｍｍである。前記光学部材は、拡散シートを含むことができる。
【００１１】
前記第１光源は、前記第１方向軸に沿って配置された複数個の第１光源ブロックを含み、前記複数個の第１光源ブロックの各々は、前記第２方向軸に沿って配置された複数個の第１発光ダイオードパッケージ及び前記複数個の第１発光ダイオードパッケージに電気的信号を提供する第１回路基板を含むことができる。前記複数個の第１発光ダイオードパッケージの各々は、前記上面指向形の発光ダイオードパッケージである。
【００１２】
前記第２光源及び前記第３光源の各々は、前記第１方向軸に沿って配置された複数個の第２光源ブロックを含み、前記複数個の第２光源ブロックの各々は、前記第２方向軸に沿って配置された複数個の第２発光ダイオードパッケージ及び前記複数個の第２発光ダイオードパッケージに電気的信号を提供する第２回路基板を含むことができる。前記複数個の第２発光ダイオードパッケージの各々は、前記側面指向形の発光ダイオードパッケージである。
【００１３】
前記第１発光ダイオードパッケージの各々は、第１発光素子及び前記第１発光素子の上に配置されて膨らんでいる半球形のレンズ面を含む第１レンズを含むことができる。前記第２発光ダイオードパッケージの各々は、第２発光素子及び前記第２発光素子から生成された光を前記第１方向軸の第１サイドにガイドする第１レンズ面及び前記第２発光素子から生成された光を前記第１方向軸の第２サイドにガイドする第２レンズ面を含む第２レンズを含むことができる。
【００１４】
前記第１乃至第３光源の各々は、前記第２方向軸に沿って複数個配置することができる。
【００１５】
前記複数個の第１光源ブロックのうち、２つの第１光源ブロックの間の前記第１方向軸による距離は、前記複数個の第２光源ブロックのうち、２つの第２光源ブロックの間の前記第１方向軸による距離より小さい。
【００１６】
前記複数個の第１光源ブロックの各々は、前記複数個の第２光源ブロックの各々より多い個数の発光ダイオードパッケージを含むことができる。
【００１７】
前記表示パネルと前記バックライトユニットとを収容し、前記第１方向軸に沿って湾曲したボトムカバー及び前記表示パネルをカバーし、前記第１方向軸に沿って湾曲したトップカバーを含むことができる。
【００１８】
前記ボトムカバーの底面は、前記第１方向軸に沿って中心領域並びに前記中心領域を介して配置された第１外側領域及び第２外側領域を含むことができる。前記第１光源は、前記中心領域に配置され、前記第２光源と前記第３光源とは、第１外側領域及び第２外側領域の各々に配置されていてもよい。
【００１９】
前記ボトムカバーの底面は、前記トップカバーより小さい曲率に湾曲していてもよい。
【００２０】
前記トップカバーは、第１曲率に湾曲し、前記中心領域は、前記第１曲率より小さい第２曲率に湾曲し、前記第１外側領域及び前記第２外側領域の各々は、前記第２曲率より小さい第３曲率に湾曲していてもよい。
【００２１】
本発明の一実施形態による表示装置は、前記表示パネルと前記バックライトユニットとを収容するボトムカバー及び前記表示パネルをカバーし、前記第１方向軸に沿って湾曲したトップカバーをさらに含むことができる。
【００２２】
前記ボトムカバーの底面は、前記第１方向軸に沿って中心領域並びに前記中心領域を介して配置された第１外側領域及び第２外側領域を含み、前記中心領域と前記第１外側領域及び前記第２外側領域との間には段差を有していてもよい。
【００２３】
前記第１光源は、前記中心領域に配置され、前記第２光源と前記第３光源とは、第１外側領域及び第２外側領域の各々に配置されていてもよい。
【００２４】
本発明の一実施形態による表示装置は、前記表示パネルと前記バックライトユニットを収容し、前記第１方向軸に沿って湾曲し、前記第１方向軸に沿って中心領域並びに前記中心領域を介して配置された第１外側領域及び第２外側領域を含むボトムカバー、前記第１外側領域と前記第２外側領域とに各々配置された第１光学距離の制御部材及び第２光学距離の制御部材、及び前記表示パネルをカバーし、前記第１方向軸に沿って湾曲したトップカバーを含むことができる。
【００２５】
前記ボトムカバーの底面と前記光学部材とは、実質的に同一の曲率に湾曲していてもよい。前記第１光学距離の制御部材は、前記第２光源が配置される第１支持面を提供し、前記第２光学距離の制御部材は、前記第３光源が配置される第２支持面を提供することができる。前記第１光学距離の制御部材の厚さは、前記第１方向軸に沿って前記中心領域から遠くなるほど、増加する。前記第２光学距離の制御部材の厚さは、前記第１方向軸に沿って前記中心領域から遠くなるほど、増加する。
【００２６】
本発明の一実施形態による表示装置は、所定の方向軸に沿って湾曲した表示パネル及び前記表示パネルに光を提供するバックライトユニットを含むことができる。前記バックライトユニットは、第１乃至第３光源、及び光学部材を含むことができる。前記第１光源は、第１発光ダイオードパッケージを含むことができる。第２及び第３光源の各々は、前記第１発光ダイオードパッケージより大きい指向角で最大の光強さ（ｌｉｇｈｔ  ｉｎｔｅｎｓｉｔｙ）を有する第２発光ダイオードパッケージを含むことができる。第２及び第３光源は、前記所定の方向軸に沿って前記第１光源を介して配置される。前記光学部材は、前記表示パネル及び前記第１乃至第３光源の間に配置される。
【００２７】
前記第１光源の前記第１発光ダイオードパッケージと前記光学部材との間の光学距離は、前記第２光源及び前記第３光源の前記第２発光ダイオードパッケージと前記光学部材との間の光学距離より大きい。
【００２８】
前記第１発光ダイオードパッケージは、約−３０°乃至約＋３０°の指向角の範囲で最大の光強さ（ｌｉｇｈｔ  ｉｎｔｅｎｓｉｔｙ）を有する。前記第２発光ダイオードパッケージは、約−９０°乃至約−６０°又は、約６０°乃至約９０°の指向角の範囲で最大の光強さ（ｌｉｇｈｔ  ｉｎｔｅｎｓｉｔｙ）を有する。
【００２９】
前記バックライトユニットは、前記所定の方向軸に沿って前記第１光源が配置された中心領域並びに前記中心領域を介して配置された前記第２光源と前記第３光源とが各々配置された第１外側領域及び第２外側領域を含む。前記第１外側領域及び前記第２外側領域の光学距離において前記第２発光ダイオードパッケージの半値幅は、前記第１発光ダイオードパッケージの半値幅より大きい。
【発明の効果】
【００３０】
上述した本発明の一実施形態における表示装置によれば、バックライトユニットは、輝点（又は光まだら）を発生させず、表示パネルに均一な光を提供することができる。
【００３１】
また、領域に応じて異なる密度に発光ダイオードパッケージを配置させることによって、バックライトユニットの製造費用を減少させることができる。
【図面の簡単な説明】
【００３２】
【図１】本発明の一実施形態による表示装置の斜視図である。
【図２】本発明の一実施形態による表示装置の分解斜視図である。
【図３】図１のＩ−Ｉ’線に沿って切断した断面図である。
【図４Ａ】ボトムカバーの底面上に配置された光源の平面図である。
【図４Ｂ】ボトムカバーの底面上に配置された光源と光学部材とを部分的に示した断面図である。
【図４Ｃ】本発明の一実施形態による発光ダイオードパッケージの断面図である。
【図４Ｄ】本発明の一実施形態による発光ダイオードパッケージの断面図である。
【図４Ｅ】本発明の一実施形態による発光ダイオードパッケージの指向角に沿う光の強さを示したグラフである。
【図４Ｆ】本発明の一実施形態による発光ダイオードパッケージの光学距離に半値幅を示したグラフである。
【図５Ａ】本発明の一実施形態によるバックライトユニットの底面と光学部材との間の距離を比較した概念図である。
【図５Ｂ】本発明の一実施形態によるバックライトユニットの底面と光学部材との間の距離を比較した概念図である。
【図５Ｃ】本発明の一実施形態によるバックライトユニットの底面と光学部材との間の距離を比較した概念図である。
【図６Ａ】本発明の一実施形態によるバックライトユニットのボトムカバーの底面上に配置された光源の平面図である。
【図６Ｂ】本発明の一実施形態によるバックライトユニットのボトムカバーの底面上に配置された光源の平面図である。
【図６Ｃ】本発明の一実施形態によるバックライトユニットのボトムカバーの底面上に配置された光源の平面図である。
【図７Ａ】本発明の一実施形態によるバックライトユニットのボトムカバーの底面上に配置された光源と光学部材とを部分的に示した断面図である。
【図７Ｂ】図７Ａに図示されたボトムカバーの底面と光学部材との間の距離を比較した概念図である。
【発明を実施するための形態】
【００３３】
以上の本発明の目的、他の目的、特徴、及び長所は、添付された図面に関連した以下の望ましい実施形態を通じて容易に理解できる。しかし、本発明は、ここで説明される実施形態に限定されず、他の形態に具体化されてもよい。
【００３４】
図１は、本発明の一実施形態による表示装置ＤＤの斜視図である。図２は、本発明の一実施形態による表示装置ＤＤの分解斜視図である。図３は、図１のＩ−Ｉ’線に沿って切断した断面図である。以下、図１乃至図３を参照して本発明の一実施形態による表示装置ＤＤを説明する。
【００３５】
図１乃至図３に示したように、表示装置ＤＤは、表示パネル１００、光学部材２００、バックライトユニット３００、及びカバー部材４００−Ｂ、４００−Ｔを含む。図示しないが、表示装置ＤＤは、表示パネル１００又は光学部材２００を支持するモールド部材をさらに含む。
【００３６】
図１に示したように、表示装置ＤＤは、第１点ＣＣ１を中心に所定の曲率と所定の曲率半径Ｒ−Ｄ（以下、第１曲率半径）とを有する。表示装置ＤＤは、曲面の表示面ＤＳを含む。実質的に表示面ＤＳは、表示パネル１００によって提供される。第１曲率半径Ｒ−Ｄは、表示面ＤＳから測定される。例えば、６５インチの表示装置ＤＤは、約４０００ｍｍの第１曲率半径Ｒ−Ｄを有する。表示装置ＤＤの曲率及び第１曲率半径Ｒ−Ｄは、表示パネル１００の曲率及び曲率半径と実質的に同一である。
【００３７】
ベンディングされる以前の平らな表示面ＤＳは、第１方向軸ＤＲ１と第２方向軸ＤＲ２とによって定義され、表示パネル１００の厚さ方向は、第３方向軸ＤＲ３に定義される。図１で第１方向軸ＤＲ１は、横方向を、第２方向軸ＤＲ２は、縦方向を定義する。
【００３８】
図１乃至図３を参照すれば、表示パネル１００は、映像を表示する。本実施形態による表示パネル１００は、特に限定されるものではなく、別の光源が必要である非発光型、即ち、反射／透過型又は透過型の表示パネルを含む。以下、表示パネル１００は、液晶表示パネルで説明される。
【００３９】
表示パネル１００は、第１基板１１０、第１基板１１０と対向する第２基板１２０、及びその間に配置された液晶層（図示せず）を含む。液晶層は、第１基板１１０及び第２基板１２０の間に形成された電界によって配列状態が変更される複数の液晶分子を含む。別途に図示しないが、表示パネル１００の上部及び下部には一対の偏光板（図示せず）が配置される。
【００４０】
表示パネル１００は、第１方向軸ＤＲ１に沿って凹んだ形状にカーブされる。表示パネル１００は、柔軟な材料で形成されたフラットな第１基板１１０及び第２基板１２０を利用して形成する。表示パネル１００は、所定の曲率にベンディングされた（湾曲させた）後、ベンディングされた状態でカバー部材４００−Ｂ、４００−Ｔに固定及び／又は結合される。カバー部材４００−Ｂ、４００−Ｔは、平らな状態に戻ろうとする表示パネル１００の反発力を吸収する。即ち、表示装置ＤＤの曲率は、カバー部材４００−Ｂ、４００−Ｔによって維持される。但し、これに限定されるものではなく、硬質な材料で形成され、各々湾曲した第１基板１１０及び第２基板１２０を利用して、表示パネル１００自体が湾曲する（曲面を有する）ように形成してもよい。
【００４１】
光学部材２００は、第３方向軸ＤＲ３上において表示パネル１００とバックライトユニット３００との間に配置され、バックライトユニット３００から受けた光の特性を向上させて表示パネル１００に提供する。光学部材２００は、少なくとも拡散部材を含む。拡散部材は、入射された光を均一に拡散させる。その他に光学部材２００は、拡散部材から受けた光を集光する集光シート及び拡散部材及び／又は集光シートを保護する保護シートをさらに含む。
【００４２】
本実施形態で光学部材２００は、所定の曲率及び所定の曲率半径を有する。光学部材２００の曲率及び曲率半径は、表示パネル１００の曲率及び曲率半径Ｒ−Ｄと実質的に同一である。本発明の一実施形態で光学部材２００は、表示パネル１００とバックライトユニット３００との間にフラットに配置される。
【００４３】
バックライトユニット３００は、反射シートＲＦと複数個の光源ＬＳ１、ＬＳ２、ＬＳ３とを含む。本発明の一実施形態で反射シートＲＦは、後述するボトムカバー４００−Ｂの材質又はボトムカバー４００−Ｂの表面に形成されたコーティング層の材料によっては省略することができる。本実施形態では、複数個の光源ＬＳ１、ＬＳ２、ＬＳ３として第１乃至第３光源ＬＳ１、ＬＳ２、ＬＳ３を例示的に図示している。
【００４４】
第１乃至第３光源ＬＳ１、ＬＳ２、ＬＳ３は、第１乃至第３光源ブロックＬＢ１、ＬＢ２、ＬＢ３を各々含む。第１乃至第３光源ブロックＬＢ１、ＬＢ２、ＬＢ３の各々は、回路基板ＰＣＢ及び複数個の発光ダイオードパッケージＬＥＰ１、ＬＥＰ２、ＬＥＰ３を含む。反射シートＲＦは、複数個の発光ダイオードパッケージＬＥＰ１、ＬＥＰ２、ＬＥＰ３を露出させる複数個の開口部ＯＰ−ＲＦを含む。
【００４５】
第１光源ＬＳ１を例示的により具体的に説明する。第１光源ＬＳ１は、複数個の第１光源ブロックＬＢ１を含む。複数個の第１光源ブロックＬＢ１は、第１方向軸ＤＲ１に沿って互いに離隔されて配置される。複数個の第１光源ブロックＬＢ１は、第２方向軸ＤＲ２に沿って延長された回路基板ＰＣＢ及び前記回路基板ＰＣＢの上に実装された複数個の発光ダイオードパッケージＬＥＰ１を含む。図２には、５つの発光ダイオードパッケージＬＥＰ１を含む光源ブロックが例示的に図示されている。
【００４６】
カバー部材４００−Ｂ、４００−Ｔは、ボトムカバー４００−Ｂとトップカバー４００−Ｔとを含む。結合されたボトムカバー４００−Ｂとトップカバー４００−Ｔとは、表示装置ＤＤの曲面された形状を維持させる。ボトムカバー４００−Ｂとトップカバー４００−Ｔとの各々は、射出／圧出成形された一体型のシャーシー又はプラスチックモールドであるか、或いは互いに結合される複数個の部分を含む。
【００４７】
カバー部材４００−Ｂ、４００−Ｔは、上述した表示パネル１００、光学部材２００、及びバックライトユニット３００を保護する。ボトムカバー４００−Ｂの開口部ＯＰ−４００は、表示パネル１００の前面（ｆｒｏｎｔ  ｓｕｒｆａｃｅ）を露出させて表示面ＤＳを定義する。第１乃至第３光源ＬＳ１、ＬＳ２、ＬＳ３は、ボトムカバー４００−Ｂの底面４００−ＢＰＳの上に配置される。反射シートＲＦは、第１乃至第３光源ＬＳ１、ＬＳ２、ＬＳ３の回路基板ＰＣＢをカバーし、底面４００−ＢＰＳの上に配置される。
【００４８】
ボトムカバー４００−Ｂは、底部４００−ＢＰと底部４００−ＢＰの縁に沿って配置された側壁４００−ＳＷとを含む。底部４００−ＢＰは、凹んだ形状にカーブしている。側壁４００−ＳＷの上端部には段差が形成される。側壁４００−ＳＷの段差によって光学部材２００の縁が支持される。
【００４９】
図４Ａは、ボトムカバーの底面上に配置された光源の平面図である。図４Ｂは、ボトムカバーの底面上に配置された光源と光学部材とを部分的に示した断面図である。図４Ｃ及び図４Ｄは、本発明の一実施形態による発光ダイオードパッケージの断面図である。図４Ｅは、本発明の一実施形態による発光ダイオードパッケージの指向角にしたがう光の強さを示したグラフである。図４Ｆは、本発明の一実施形態による発光ダイオードパッケージの光学距離と半値幅との関係を示したグラフである。以下、図４Ａ乃至図４Ｆを参照して本発明の一実施形態によるバックライトユニット３００に対してさらに詳細に説明する。
【００５０】
図４Ａに示したように、ボトムカバー４００−Ｂと底部４００−ＢＰとは、第１乃至第３光源ＬＳ１、ＬＳ２、ＬＳ３が配置された第１乃至第３領域Ｒ１乃至Ｒ３に区分される。第２及び第３領域Ｒ２、Ｒ３（以下、第１外側領域及び第２外側領域）は、第１方向軸ＤＲ１上で第１領域Ｒ１（以下、中心領域）を介して定義される。図４Ａにおいて、反射シートＲＦは、図示されておらず、５つの第１乃至第３光源ブロックＬＢ１、ＬＢ２、ＬＢ３を各々含む第１乃至第３光源ＬＳ１、ＬＳ２、ＬＳ３が例示的に図示されている。５つの第１乃至第３発光ダイオードパッケージＬＥＰ１乃至ＬＥＰ３を各々含む第１乃至第３光源ブロックＬＢ１、ＬＢ２、ＬＢ３が例示的に図示されている。
【００５１】
図４Ｂに示したように、底部４００−ＢＰは、光学部材２００と異なる曲率を有する。本実施形態において、底部４００−ＢＰの曲率は、光学部材２００の曲率より小さい。それによって、第１乃至第３発光ダイオードパッケージＬＥＰ１乃至ＬＥＰ３の各々と光学部材２００との間の距離によって定義される光学距離は、互いに異なる。具体的に光学距離は、第１乃至第３発光ダイオードパッケージＬＥＰ１乃至ＬＥＰ３の各々のピーク（頂部）と光学部材２００の下面２００−ＢＳとの間の最短距離として定義される。
【００５２】
第１発光ダイオードパッケージＬＥＰ１の光学距離Ｈ１−Ｍａｘ、Ｈ１−Ｍｉｎ（以下、第１光学距離）は、第２発光ダイオードパッケージＬＥＰ２の光学距離Ｈ２−Ｍａｘ、Ｈ２−Ｍｉｎ（以下、第２光学距離）及び第３発光ダイオードパッケージＬＥＰ３の光学距離Ｈ３−Ｍａｘ、Ｈ３−Ｍｉｎ（以下、第３光学距離）より大きい。
【００５３】
第１光学距離Ｈ１−Ｍａｘ、Ｈ１−Ｍｉｎは、第１光源ブロックＬＢ１によって異なる。例えば、第１光源ブロックＬＢ１のうち、中央に配置された第１光源ブロックＬＢ１の第１発光ダイオードパッケージＬＥＰ１は、第１光学距離Ｈ１−Ｍａｘ、Ｈ１−Ｍｉｎのうち、最大の光学距離Ｈ１−Ｍａｘを有する。第１光源ブロックＬＢ１のうち、第１外側領域Ｒ２及び第２外側領域Ｒ３に隣接する第１光源ブロックＬＢ１の第１発光ダイオードパッケージＬＥＰ１は、第１光学距離Ｈ１−Ｍａｘ、Ｈ１−Ｍｉｎのうち、最小光学距離Ｈ１−Ｍｉｎを有する。
【００５４】
第２光源ブロックＬＢ２のうち、中間領域Ｒ１に隣接する第２光源ブロックＬＢ２の第２発光ダイオードパッケージＬＥＰ２は、第２光学距離Ｈ２−Ｍａｘ、Ｈ２−Ｍｉｎのうち、最大の光学距離Ｈ２−Ｍａｘを有する。第２光源ブロックＬＢ２の第２発光ダイオードパッケージＬＥＰ２は、第１方向軸ＤＲ１に沿って前記中心領域Ｒ１から遠くなるほど小さくなる第２光学距離Ｈ２−Ｍａｘ、Ｈ２−Ｍｉｎを有する。第２発光ダイオードパッケージＬＥＰ２のうち、側壁４００−ＳＷに隣接する第２発光ダイオードパッケージＬＥＰ２は、第１外側領域Ｒ２の内で最小の光学距離Ｈ２−Ｍｉｎを有する。
【００５５】
第３光源ブロックＬＢ３のうち、中心領域Ｒ１に隣接する第３光源ブロックＬＢ３の第３発光ダイオードパッケージＬＥＰ３は、第３光学距離Ｈ３−Ｍａｘ、Ｈ３−Ｍｉｎのうち、最大の光学距離Ｈ３−Ｍａｘを有する。第３光源ブロックＬＢ３の第３発光ダイオードパッケージＬＥＰ３は、第１方向軸ＤＲ１に沿って前記中心領域Ｒ１から遠くなるほど小さくなる第３光学距離Ｈ３−Ｍａｘ、Ｈ３−Ｍｉｎを有する。
【００５６】
図４Ｃ及び図４Ｄに示したように、バックライトユニット３００は、互いに異なるタイプの発光ダイオードパッケージＬＥＰ−Ｓ１、ＬＥＰ−Ｓ２を含む。図４Ｃには第１種の発光ダイオードパッケージＬＥＰ−Ｓ１として上面指向形の発光ダイオードパッケージ（ｔｏｐ  ｅｍｉｔｔｉｎｇ  ｄｉｏｄｅ  ｐａｃｋａｇｅ）を、図４Ｄには第２種の発光ダイオードパッケージＬＥＰ−Ｓ２として側面指向形の発光ダイオードパッケージ（ｓｉｄｅ  ｅｍｉｔｔｉｎｇ  ｄｉｏｄｅ  ｐａｃｋａｇｅ）が例示的に図示されている。
【００５７】
本発明の一実施形態で、上述した第１発光ダイオードパッケージＬＥＰ１は、第１種の発光ダイオードパッケージＬＥＰ−Ｓ１であり、第２及び第３発光ダイオードパッケージＬＥＰ２、ＬＥＰ３は、第２種の発光ダイオードパッケージＬＥＰ−Ｓ２である。
【００５８】
図４Ｃを参照すれば、第１種の発光ダイオードパッケージＬＥＰ−Ｓ１は、第１発光素子（ｌｉｇｈｔ  ｅｍｉｔｔｉｎｇ  ｅｌｅｍｅｎｔ）ＬＥＥ１及び第１レンズＬ−Ｓ１を含む。第１発光素子ＬＥＥ１は、回路基板ＰＣＢの上に配置されたボディー部１１、ボディー部１１の上に配置された発光ダイオード１２、及び発光ダイオード１２をカバーする封止層１３を含む。発光ダイオード１２と回路基板ＰＣＢとを電気的に連結するリード（図示せず）は、ボディー部１１に配置される。
【００５９】
第１レンズＬ−Ｓ１は、膨らんでいる半球形の外部レンズ面ＬＯＳ−Ｓ１を含む。また、第１レンズＬ−Ｓ１は、外部レンズ面ＬＯＳ−Ｓ１のピーク領域に定義された凹んだ第１陥没部２１を含む。第１レンズＬ−Ｓ１は、下面の中心領域に定義された第２陥没部２２を含む。第２陥没部２２は、膨らんでいる半球形の内部レンズ面ＬＩＳ−Ｓ１によって定義される。図４Ｃに図示された第１レンズＬ−Ｓ１の形状は、一実施形態に過ぎず、膨らんでいる半球形の外部レンズ面ＬＯＳ−Ｓ１を含めば、十分である。
【００６０】
図４Ｄを参照すれば、第２種の発光ダイオードパッケージＬＥＰ−Ｓ２は、第２発光素子（ｌｉｇｈｔ  ｅｍｉｔｔｉｎｇ  ｅｌｅｍｅｎｔ）ＬＥＥ２及び第２レンズＬ−Ｓ２を含む。第２発光素子ＬＥＥ２は、第１発光素子ＬＥＥ１と実質的に同一の構成を有する。
【００６１】
第２レンズＬ−Ｓ２は、第２発光素子ＬＥＥ２から受けた光を側面に反射させる２つの反射面ＬＯＳ−Ｓ２を含む。前記２つの反射面ＬＯＳ−Ｓ２は、第２方向軸ＤＲ２と第３方向軸ＤＲ３とが定義する切断面に対して対称である。２つの反射面ＬＯＳ−Ｓ２の各々は、第１方向軸ＤＲ１と第３方向軸ＤＲ３とが定義する切断面に対して半分のアーチ線を有する。２つの反射面ＬＯＳ−Ｓ２のうち、いずれか１つは、第２発光素子ＬＥＥ２から生成された光を第１方向軸ＤＲ１の第１サイドにガイドし、その他の１つは、第２発光素子ＬＥＥ２から生成された光を第１方向軸ＤＲ１の第２サイド（第１サイドと反対のサイド）にガイドする。
【００６２】
図４Ｅの第１グラフＧ−Ｔ１は、第１種の発光ダイオードパッケージＬＥＰ−Ｓ１の指向角（ｌｕｍｉｎｏｕｓ  ｖｉｅｗ  ａｎｇｌｅ）にしたがう光の強さを示し、第２グラフＧ−Ｓ１は、第２種の発光ダイオードパッケージＬＥＰ−Ｓ２の指向角にしたがう光の強さを示す。図４ＥのＸ軸が示す指向角は、図４Ｃ及び図４Ｄの各々に図示された角度に従う。図４ＥのＹ軸が示す値は、相対的な値である。
【００６３】
第１グラフＧ−Ｔ１と第２グラフＧ−Ｓ１とを参照すれば、第２種の発光ダイオードパッケージＬＥＰ−Ｓ２は、第１種の発光ダイオードパッケージＬＥＰ−Ｓ１より大きい指向角で最大の光強さ（Ｍａｘｉｍｕｍ  ｌｉｇｈｔ  ｉｎｔｅｎｓｉｔｙ）を有する。第２種の発光ダイオードパッケージＬＥＰ−Ｓ２は、約−９０°乃至約−６０°又は約６０°乃至約９０°の指向角の範囲で最大の光強さ（ｌｉｇｈｔ  ｉｎｔｅｎｓｉｔｙ）を有し、第１種の発光ダイオードパッケージＬＥＰ−Ｓ１は、約−３０°乃至約＋３０°の指向角の範囲で最大の光強さを有する。
【００６４】
それによって、第２種の発光ダイオードパッケージＬＥＰ−Ｓ２は、第１種の発光ダイオードパッケージＬＥＰ−Ｓ１より側面に光を出射する比率がより高い。第２種の発光ダイオードパッケージＬＥＰ−Ｓ２は、第１種の発光ダイオードパッケージＬＥＰ−Ｓ１より広い範囲に光を提供する。
【００６５】
図４Ｆの第１グラフＧ−Ｔ２は、第１種の発光ダイオードパッケージＬＥＰ−Ｓ１の光学距離と半値幅との関係を示し、第２グラフＧ−Ｓ２は、第２種の発光ダイオードパッケージＬＥＰ−Ｓ２の光学距離と半値幅との関係を示す。図４Ｆで第１種の発光ダイオードパッケージＬＥＰ−Ｓ１の半値幅と第２種の発光ダイオードパッケージＬＥＰ−Ｓ２の半値幅とが実質的に同一である光学距離は、基準距離として定義される。本実施形態で前記基準距離は、約１９ｍｍである。前記基準距離は、第１種の発光ダイオードパッケージＬＥＰ−Ｓ１と第２種の発光ダイオードパッケージＬＥＰ−Ｓ２とに含まれた発光ダイオードの種類／構成にしたがって約１５ｍｍ乃至約２０ｍｍである。
【００６６】
基準距離より大きい光学距離で第１種の発光ダイオードパッケージＬＥＰ−Ｓ１は、第２種の発光ダイオードパッケージＬＥＰ−Ｓ２より大きい半値幅を有する。図４Ｂを参照すれば、基準距離より大きい光学距離を有する中心領域Ｒ１に配置された第１発光ダイオードパッケージＬＥＰ１には第１種の発光ダイオードパッケージＬＥＰ−Ｓ１が適用される。
【００６７】
基準距離より小さい光学距離で第２種の発光ダイオードパッケージＬＥＰ−Ｓ２は、第１種の発光ダイオードパッケージＬＥＰ−Ｓ１より大きい半値幅を有する。図４Ｂを参照すれば、基準距離より小さい光学距離を有する第１及び第２外側領域Ｒ２、Ｒ３に配置された第２及び第３発光ダイオードパッケージＬＥＰ２、ＬＥＰ３は、第２種の発光ダイオードパッケージＬＥＰ−Ｓ２である。上述したように、光学距離によって互いに異なる種の発光ダイオードパッケージＬＥＰ−Ｓ１、ＬＥＰ−Ｓ２を配置させることによって、光の効率を向上させる。
【００６８】
比較例によれば、光学距離と関わらず、第１種の発光ダイオードパッケージＬＥＰ−Ｓ１が配置される。基準距離より小さい光学距離を有する第１及び第２外側領域Ｒ２、Ｒ３に第１種の発光ダイオードパッケージＬＥＰ−Ｓ１を配置させると、光学部材２００の上で輝点が発生し、これは光まだらの原因となる。本実施形態で、光学距離によって互いに異なる種の発光ダイオードパッケージＬＥＰ−Ｓ１、ＬＥＰ−Ｓ２を配置させることで、輝点の発生を防止することができ、結果的に領域Ｒ１、Ｒ２、Ｒ３に関わらず、均一な光を提供する。
【００６９】
一方、本発明は、中心領域Ｒ１に必ず同一の第１種の発光ダイオードパッケージＬＥＰ−Ｓ１が配置されることには制限されない。例えば、中心領域Ｒ１の内でも光学距離によって出射される光量が異なる上面指向形の発光ダイオードパッケージが配置されてもよい。また、最大の光強さ（Ｍａｘｉｍｕｍ  ｌｉｇｈｔ  ｉｎｔｅｎｓｉｔｙ）の指向角が異なる上面指向形の発光ダイオードパッケージが中心領域Ｒ１内に配置されてもよい。また、第１及び第２外側領域Ｒ２、Ｒ３に必ず同一の第２種の発光ダイオードパッケージＬＥＰ−Ｓ２が配置されることには制限されない。第１及び第２外側領域Ｒ２、Ｒ３の内でも光学距離によって出射される光量が異なる側面指向形の発光ダイオードパッケージが配置されてもよい。
【００７０】
図５Ａ乃至図５Ｃは、本発明の一実施形態によるバックライトユニットの底面と光学部材との間の距離を比較した概念図である。以下、図５Ａ乃至図５Ｃを参照して本発明の一実施形態による表示装置を説明する。但し、図１乃至図４Ｆを参照して説明した構成と同一である構成に対する詳細な説明は、省略する。
【００７１】
図５Ａ乃至図５Ｃは、光学部材２００の下面２００−ＢＳとボトムカバー４００−Ｂの底部４００−ＢＰの底面４００−ＢＰＳとの間の距離Ｈ１０、Ｈ２０、Ｈ３０を示している。図４Ａ乃至図４Ｆを参照して説明した光学距離Ｈ１−Ｍａｘ、Ｈ１−Ｍｉｎ、Ｈ２−Ｍａｘ、Ｈ２−Ｍｉｎ、Ｈ３−Ｍａｘ、Ｈ３−Ｍｉｎは、図５Ａ乃至図５Ｃの距離Ｈ１０、Ｈ２０、Ｈ３０（以下、離隔距離）と連関される。発光ダイオードパッケージが第３方向軸ＤＲ３にしたがう同一の高さを有することによって、図５Ａ乃至図５Ｃの離隔距離Ｈ１０、Ｈ２０、Ｈ３０は、第１乃至第３光学距離Ｈ１−Ｍａｘ、Ｈ１−Ｍｉｎ、Ｈ２−Ｍａｘ、Ｈ２−Ｍｉｎ、Ｈ３−Ｍａｘ、Ｈ３−Ｍｉｎに比例する。
【００７２】
図５Ａ乃至図５Ｃでは底面４００−ＢＰＳが簡略に図示され、このような底面４００−ＢＰＳを有するようにボトムカバー４００−Ｂの底部４００−ＢＰは、様々な方法及び様々な形態により製造される。
【００７３】
図５Ａに示したように、光学部材２００の下面２００−ＢＳは、第２点ＣＣ２を中心に所定の曲率及び曲率半径Ｒ−Ｌ（以下、第２曲率半径）を有する。底部４００−ＢＰの底面４００−ＢＰＳは、第３点ＣＣ３を中心に所定の曲率及び曲率半径Ｒ−Ｂ（以下、第３曲率半径）を有する。前記第３曲率半径Ｒ−Ｂは、第２曲率半径Ｒ−Ｌより小さい。
【００７４】
第１離隔距離Ｈ１０は、第２及び第３離隔距離Ｈ２０、Ｈ３０より大きい。これにより、第２光学距離Ｈ２−Ｍａｘ、Ｈ２−Ｍｉｎ及び第３光学距離Ｈ３−Ｍａｘ、Ｈ３−Ｍｉｎより大きい第１光学距離Ｈ１−Ｍａｘ、Ｈ１−Ｍｉｎを確保する。特に図示しないが、底部４００−ＢＰの底面４００−ＢＰＳは、第２方向軸ＤＲ２に沿って平坦である。
【００７５】
図５Ｂに示したように、領域Ｒ１、Ｒ２、Ｒ３によって底部４００−ＢＰは、互いに異なる曲率半径Ｒ−Ｂ１、Ｒ−Ｂ２、Ｒ−Ｂ３を有する。底部４００−ＢＰの第１及び第２外側領域Ｒ２、Ｒ３は、中心領域Ｒ１より小さい曲率半径を有する。底部４００−ＢＰの第１及び第２外側領域Ｒ２、Ｒ３は、互いに同一の曲率半径Ｒ−Ｂ２、Ｒ−Ｂ３を有する。
【００７６】
図５Ｃに示したように、底部４００−ＢＰは、段差を有する形状であってもよい。中心領域Ｒ１は、第１及び第２外側領域Ｒ２、Ｒ３から凹んでいるように段差を有する。それによって、第２光学距離Ｈ２−Ｍａｘ、Ｈ２−Ｍｉｎ及び第３光学距離Ｈ３−Ｍａｘ、Ｈ３−Ｍｉｎより大きい第１光学距離Ｈ１−Ｍａｘ、Ｈ１−Ｍｉｎを確保する。
【００７７】
図６Ａ乃至図６Ｃは、本発明の一実施形態によるバックライトユニット３００のボトムカバー４００−Ｂの底面４００−ＢＰＳの上に配置された光源ＬＳ１、ＬＳ２、ＬＳ３の平面図である。以下、図６Ａ乃至図６Ｃを参照して本発明の一実施形態による表示装置を説明する。但し、図１乃至図５Ｃを参照して説明した構成と同一である構成に対する詳細な説明は、省略する。
【００７８】
図６Ａに示したように、ボトムカバー４００−Ｂの底面４００−ＢＰＳは、第２方向軸ＤＲ２に沿って上部領域Ｒ−Ｃ１と下部領域Ｒ−Ｃ２とに区分される。上部領域Ｒ−Ｃ１と下部領域Ｒ−Ｃ２とには第１光源グループＬＧ１と第２光源グループＬＧ２とが各々配置される。
【００７９】
第１光源グループＬＧ１と第２光源グループＬＧ２との各々は、図４Ａを参照して説明した第１乃至第３光源ＬＳ１、ＬＳ２、ＬＳ３を含む。したがって、第１乃至第３光源ＬＳ１、ＬＳ２、ＬＳ３は、第２方向軸ＤＲ２に沿って複数個が配置される。各々第１乃至第３光源ＬＳ１、ＬＳ２、ＬＳ３を含む２つの光源グループを図示しているが、個数は、制限されない。
【００８０】
図６Ｂに示したように、第１乃至第３光源ＬＳ１、ＬＳ２−１、ＬＳ３−１のうち、一部は、他の個数の光源ブロックＬＢ１、ＬＢ２、ＬＢ３を含む。図６Ｂには５つの第１光源ブロックＬＢ１を含む第１光源ＬＳ１、３個の第２光源ブロックＬＢ２を含む第２光源ＬＳ２−１、３個の第３光源ブロックＬＢ３を含む第３光源ＬＳ３−１を例示的に図示している。
【００８１】
第２光源ブロックＬＢ２のうち、隣接する２つの第２光源ブロックＬＢ２の間の第１方向軸ＤＲ１にしたがう距離ＲＷ２は、第１光源ブロックＬＢ１のうち、隣接する２つの第１光源ブロックＬＢ１の間の第１方向軸ＤＲ１にしたがう距離ＲＷ１より大きい。第３光源ブロックＬＢ３のうち、隣接する２つの第３光源ブロックＬＢ３の間の第１方向軸ＤＲ１にしたがう距離ＲＷ３は、第２光源ブロックＬＢ２のうち、隣接する２つの第２光源ブロックＬＢ２の間の第１方向軸ＤＲ１にしたがう距離ＲＷ２と実質的に同一である。
【００８２】
図１を参照すれば、使用者は、曲面表示装置ＤＤの表示面ＤＳの前方で映像を認知する。使用者は、第１点ＣＣ１上で湾曲させた表示面ＤＳに表示されたイメージを認知する。使用者は、湾曲させた表示面ＤＳの形状によって第１及び第２外側領域Ｒ２、Ｒ３より中心領域Ｒ１に没入する。したがって、第１及び第２外側領域Ｒ２、Ｒ３に少ない個数の発光ダイオードパッケージを配置させても、所定の輝度以上を有する映像に対して、使用者は、輝度差を認知できない。本実施形態によれば、領域に応じて異なる密度に発光ダイオードパッケージを配置させることで、バックライトユニットの製造費用を減少させることができる。
【００８３】
図６Ｃに示したように、第１乃至第３光源ＬＳ１、ＬＳ２−２、ＬＳ３−２は、第１乃至第３光源ブロックＬＢ１、ＬＢ２０、ＬＢ３０を各々含む。第１乃至第３光源ブロックＬＢ１、ＬＢ２０、ＬＢ３０のうち、一部は、異なる個数の発光ダイオードパッケージＬＥＰ１、ＬＥＰ２、ＬＥＰ３を含む。図６Ｃには５つの第１発光ダイオードパッケージＬＥＰ１を含む第１光源ブロックＬＢ１、４個の第２発光ダイオードパッケージＬＥＰ２を含む第２光源ブロックＬＢ２０、４個の第３発光ダイオードパッケージＬＥＰ３を含む第３光源ブロックＬＢ３０を例示的に図示している。
【００８４】
第１及び第２外側領域Ｒ２、Ｒ３に少ない個数の発光ダイオードパッケージを配置させても、所定の輝度以上を有する映像に対して、使用者は、輝度差を認知できない。本実施形態によれば、領域に応じて異なる密度に発光ダイオードパッケージを配置させることで、バックライトユニットの製造費用を減少させることができる。
【００８５】
図７Ａは、本発明の一実施形態によるボトムカバー４００−Ｂの底面４００−ＢＰＳの上に配置された光源ＬＳ１、ＬＳ２、ＬＳ３と光学部材２００とを部分的に示した断面図である。図７Ｂは、図７Ａに図示されたボトムカバー４００−Ｂの底面４００−ＢＰＳと光学部材２００との間の離隔距離を比較した概念図である。以下、図７Ａ及び図７Ｂを参照して本発明の一実施形態による表示装置を説明する。但し、図１乃至図６Ｃを参照して説明した構成と同一である構成に対する詳細な説明は、省略する。
【００８６】
本実施形態によれば、表示装置は、少なくとも１つの光学距離の制御部材ＬＨＣ１、ＬＨＣ２を含む。図７Ａ及び図７Ｂは、第１及び第２外側領域Ｒ２、Ｒ３の各々に配置された２つの光学距離の制御部材ＬＨＣ１、ＬＨＣ２（以下、第１及び第２光学距離の制御部材）を例示的に図示している。
【００８７】
先に説明した実施形態とは異なり、本実施形態によれば、ボトムカバー４００−Ｂの底部４００−ＢＰは、光学部材２００と同一の曲率及び同一の曲率半径Ｒ−Ｌ、Ｒ−Ｂ’を有する。領域Ｒ１、Ｒ２、Ｒ３に関わらず、光学部材２００の下面２００−ＢＳと底部４００−ＢＰの底面４００−ＢＰＳとの間の離隔距離は、実質的に同一である。
【００８８】
第１光学距離Ｈ１−Ｍａｘ、Ｈ１−Ｍｉｎ、第２光学距離Ｈ２−Ｍａｘ、Ｈ２−Ｍｉｎ、及び第３光学距離Ｈ３−Ｍａｘ、Ｈ３−Ｍｉｎを図４Ａ乃至図４Ｆを参照して説明したように制御するために、第１及び第２光学距離の制御部材ＬＨＣ１、ＬＨＣ２が底部４００−ＢＰの底面４００−ＢＰＳ上に配置される。第１及び第２光学距離の制御部材ＬＨＣ１、ＬＨＣ２の第３方向軸ＤＲ３に沿った厚さは、前記第１方向軸ＤＲ１に沿って中心領域Ｒ１から遠くなるほど、増加する。第１及び第２光学距離の制御部材ＬＨＣ１、ＬＨＣ２の厚さは、前記第１方向軸ＤＲ１に沿って漸次増加するか、或いは段階的に増加する。
【００８９】
前記第１光学距離の制御部材ＬＨＣ１は、第２光源ブロックＬＢ２が配置される第１支持面ＬＨＣ１−ＳＳを提供し、前記第２光学距離の制御部材ＬＨＣ２は、前記第３光源ブロックＬＢ３が配置される第２支持面ＬＨＣ２−ＳＳを提供する。第１光学距離の制御部材ＬＨＣ１の第１支持面ＬＨＣ１−ＳＳ、第２光学距離の制御部材ＬＨＣ２の第２支持面ＬＨＣ２−ＳＳ及び底面４００−ＢＰＳの一部分は、図５Ａに図示された底面４００−ＢＰＳと同一な基準面４００−ＢＰＣＳを提供することができる。反射シートＲＦは、第１支持面ＬＨＣ１−ＳＳ及び第２支持面ＬＨＣ２−ＳＳに部分的に重疊する。
【００９０】
本実施形態では、一体形状の第１及び第２光学距離の制御部材ＬＨＣ１、ＬＨＣ２を図示しているが、第１及び第２光学距離の制御部材ＬＨＣ１、ＬＨＣ２の各々は、互いに離隔されて配置された複数個の部分を含んでもよい。前記複数個の部分の各々は、複数個の光源ブロックのうち、対応する光源ブロックを支持する。
【００９１】
本発明の一実施形態では、ボトムカバー４００−Ｂの底部４００−ＢＰは、平坦面を提供してもよい。この場合、光学部材２００の下面２００−ＢＳと底部４００−ＢＰの底面４００−ＢＰＳとの間の離隔距離は、第１及び第２外側領域Ｒ２、Ｒ３が中心領域Ｒ１より大きい。このとき、第１及び第２光学距離の制御部材ＬＨＣ１、ＬＨＣ２は、第１光学距離Ｈ１−Ｍａｘ、Ｈ１−Ｍｉｎ、第２光学距離Ｈ２−Ｍａｘ、Ｈ２−Ｍｉｎ、及び第３光学距離Ｈ３−Ｍａｘ、Ｈ３−Ｍｉｎを図４Ａ乃至図４Ｆを参照して説明したように制御することができる。
【００９２】
以上、添付された図面を参照して本発明の実施形態を説明したが、本発明が属する技術分野で通常の知識を有する者は、本発明がその技術的思想や必須な特徴を変形することなく、他の具体的な形態として実施できることを理解できる。したがって、上述した実施形態は、すべての面で例示的なものであり、限定的ではないことと理解しなければならない。
【符号の説明】
【００９３】
１００：表示パネル
１１０：第１基板
１２０：第２基板
２００：光学部材
３００：バックライトユニット
４００−Ｂ：ボトムカバー
４００−Ｔ：トップカバー
４００−ＢＰ：底部
４００−ＳＷ：側壁
１１：ボディー部
１２：発光ダイオード
１３：封止層
２１：第１陥没部
２２：第２陥没部
【図１】
0006685745.tif 000002
【図２】
0006685745.tif 000003
【図３】
0006685745.tif 000004
【図４Ａ】
0006685745.tif 000005
【図４Ｂ】
0006685745.tif 000006
【図４Ｃ】
0006685745.tif 000007
【図４Ｄ】
0006685745.tif 000008
【図４Ｅ】
0006685745.tif 000009
【図４Ｆ】
0006685745.tif 000010
【図５Ａ】
0006685745.tif 000011
【図５Ｂ】
0006685745.tif 000012
【図５Ｃ】
0006685745.tif 000013
【図６Ａ】
0006685745.tif 000014
【図６Ｂ】
0006685745.tif 000015
【図６Ｃ】
0006685745.tif 000016
【図７Ａ】
0006685745.tif 000017
【図７Ｂ】
0006685745.tif 000018